(57)【要約】【課題】  ファクシミリ装置において、受信文書の印刷色、レポート印刷色をそれぞれ指定可能にする。【解決手段】  受信文書／レポート印刷色切替制御部８には、ユーザのオペレーションパネル９の操作により、設定された受信文書の印刷色とレポートの印刷色が予め登録されている。通信制御部６（１〜Ｎ）の１つで受信した画情報はＳＡＦ管理部１に蓄積されると共に、受信文書／レポート印刷色切替制御部８に伝達され、記録制御部５は登録されている受信印刷色で印刷を行う。また、レポート印刷の場合は、登録されているレポート印刷色を用いて印刷を行う。【選択図】  図１
2006246260.tif 000002
【特許請求の範囲】
【請求項１】
ファクシミリの受信文書の印刷色と、レポートの印刷色とをそれぞれ設定する設定手段と、
前記設定された各印刷色を登録する登録手段と、
前記受信文書の出力時には前記登録された受信文書の印刷色を用いて印刷を行い、前記レポート出力時には前記登録されたレポートの印刷色を用いて印刷を行う印刷手段とを備えたことを特徴とするファクシミリ装置。
【請求項２】
前記印刷手段の機能を使用するか否かをユーザが選択する選択手段を設けたことを特徴とする請求項１記載のファクシミリ装置。
【請求項３】
ファクシミリの受信文書の印刷色と、レポートの印刷色とをそれぞれ設定し、設定された各印刷色を登録し、
前記受信文書の出力時には前記登録された受信文書の印刷色を用いて印刷を行い、前記レポート出力時には前記登録されたレポートの印刷色を用いて印刷を行うことを特徴とするファクシミリ装置における印刷方法。
【請求項４】
ファクシミリの受信文書の印刷色と、レポートの印刷色とをそれぞれ設定する設定処理と、
前記設定された各印刷色を登録する登録処理と、
前記受信文書の出力時に前記登録された受信文書の印刷色を用いて印刷を行う印刷処理と、
前記レポート出力時に前記登録されたレポートの印刷色を用いて印刷を行う印刷処理とをコンピュータに実行させるプログラム。
【発明の詳細な説明】
【技術分野】
【０００１】
本発明は、印刷色を指定できるようにしたファクシミリ装置及びこのファクシミリ装置における印刷方法及びプログラムに関するものである。
【背景技術】
【０００２】
ファクシミリ装置で行われる印刷としては、ＦＡＸ受信した文書の印刷や、装置の受信履歴や送信履歴等のユーザに対するレポートの印刷がある。従来より、受信文書の印刷について、特定の相手先毎に印刷色を指定したり、受信した回線ごとに印刷色を設定できるようにすることで、受信文書の印刷色の色分けを可能にしたファクシミリ装置がある。
例として印刷モード（両面/分割/縮小印刷等）に応じて印刷色を分けてユーザに印刷モードを知らせるようにしたもの（例えば、特許文献１参照）、印刷した電子メールの判別を迅速に行えるようにしたものが提案されている（例えば、特許文献２参照）。その他印刷色の色分けに関する技術がいくつか提案されている（例えば、特許文献３〜７参照）。
【特許文献１】特開２００１−３４６０４９号公報
【特許文献２】特開２００１−３２６７８３号公報
【特許文献３】特開平９−６９９５５号公報
【特許文献４】特開平８−１６３３０４号公報
【特許文献５】特開２００１−１３６３１９号公報
【特許文献６】特開２００３−７８６７６号公報
【特許文献７】特開２００４−３２３８２号公報
【発明の開示】
【発明が解決しようとする課題】
【０００３】
前記の従来技術によれば、ファクシミリ通信結果の印刷色を異ならせることにより、通信状況を一目で分かるようにすることができる。しかしながら、従来の印刷色分け技術は何れもＦＡＸ受信した文書についてのみ行われるものであり、ファクシミリ装置から出力するレポートの印刷色の設定は不可能であった。このため出力された印刷文書が受信文書かレポートかの分別がしにくいという問題があった。
従って、本発明は、受信文書の印刷、レポート印刷のそれぞれについて印刷色の指定を可能にすることにより、受信印刷文書とレポート印刷文書との仕分けを行いやすくし、ユーザのＦＡＸを使用しての業務効率の向上を図るようにすることを課題とする。
【課題を解決するための手段】
【０００４】
請求項１のファクシミリ装置は、ファクシミリ受信文書の印刷色と、レポートの印刷色とをそれぞれ設定する設定手段と、前記設定された各印刷色を登録する登録手段と、前記受信文書の出力時には前記登録されたであり、図と対応する部分には同一番号を付して重複する説明は省略する。文書の印刷色を用いて印刷を行い、前記レポート出力時には前記登録されたレポートの印刷色を用いて印刷を行う印刷手段とを備えたことを特徴とするものである。
請求項２のファクシミリ装置は、請求項１において、前記印刷手段の機能を働かせるか否かを選択する選択手段を設けたことを特徴とするものである。
【０００５】
請求項３のファクシミリ装置における印刷方法は、ファクシミリ受信文書の印刷色と、レポートの印刷色とをそれぞれ設定し、設定された各印刷色を登録し、前記受信文書の出力時には前記登録された受信文書の印刷色を用いて印刷を行い、前記レポート出力時には前記登録されたレポートの印刷色を用いて印刷を行うことを特徴とするものである。
【０００６】
請求項４のプログラムは、ファクシミリ受信文書の印刷色と、レポートの印刷色とをそれぞれ設定する設定処理と、前記設定された各印刷色を登録する登録処理と、前記受信文書の出力時に前記登録された受信文書の印刷色を用いて印刷を行う印刷処理と、前記レポート出力時に前記登録されたレポートの印刷色を用いて印刷を行う印刷処理とをコンピュータに実行させるものである。
【発明の効果】
【０００７】
請求項１，３，４の発明によれば、ユーザは受信印刷文書とレポート印刷文書の仕分けがしやすくなり、業務効率を向上させることができる。
また、請求項２の発明によれば、ユーザは受信文書の印色とレポートの色とを別の色で印刷する機能を好みに応じて容易にＯＮ／ＯＦＦすることができる。
【発明を実施するための最良の形態】
【０００８】
以下、本発明の実施形態を図面と共に説明する。
図１は本発明の実施形態によるファクシミリ装置の構成を示すブロック図である。
図１において、ＳＡＦ管理部１は、ＦＡＸ送受信すべき画情報データ（送信原稿／受信原稿）をストアするメモリ／ＨＤＤ（図示せず）等を管理する。ＳＡＦ管理１部内では、各原稿１枚ずつについて論理的に原稿ファイルとして管理されている。 宛先管理部２は、ＦＡＸ送信すべき相手先の電話番号の管理を行っており、各々の送信宛先の電話番号はここで管理されている。
【０００９】
ジョブ制御部３は、ＳＡＦ管理部１に蓄積された送信原稿の送信起動や、着信があった場合の受信動作を開始させて、１つの受信ジョブを作成し、また、作成した受信ジョブに基づいて受信した原稿の記録紙への印字起動等の受信ジョブの制御等を行う。また、ジョブ制御部３は、各々のジョブに関連する原稿ファイルの情報、送信すべき相手先の電話番号の宛先情報を持っている。
【００１０】
オペレーション制御部４は、ユーザが操作するオペレーションパネル９の制御を行う。記録制御部５は、受信した原稿を記録(印刷)する。ここで、シアン、マゼンダ、イエロー、ブラックにおいて、各色での単色での書き込みが可能であることが前提である。通信制御部６（１〜Ｎ）は、通信回線１つに対してそれぞれ対応し、変復調回路（モデム）等を含む装置であり、ＦＡＸ送受信データの変調/復調を行う。主制御部７は、上記１〜７の各部の統括制御を行う。受信文書／レポート印刷色切替制御部８は、本実施形態の特徴部分であり、ジョブ制御部３より受信文書の受信情報を入手し、保持している受信文書印刷色を決定し、指定の色で印刷する。また、レポート印刷の場合は、保持しているレポート印刷色を決定し、指定の色で印刷を行う。
【００１１】
次に、上記構成による動作について説明する。
受信文書／レポート印刷色切替制御部８には、ユーザのオペレーションパネル９の操作により、設定された受信文書の印刷色とレポートの印刷色が予め登録されている。
通信制御部６（１〜Ｎ）のいずれかの回線から着信が発生した場合、主制御部７を通してジョブ制御部３に通知され、受信出力ジョブが作成される。通信制御部６の１つにより受信動作が行われ、受信した画情報はＳＡＦ管理部１に蓄積されていく。また、受信した回線情報を受信文書／レポート印刷色切替制御部８に伝達され、記録制御部５は登録されている受信印刷色で印刷を行う。
【００１２】
また、オペレーション制御部４よりレポート印刷が指示されると、ジョブ制御部３を通して、受信文書／レポート印刷色切替制御部８において、登録されているレポート印刷色を決定し、記録制御部５は指定された色を用いた印刷が実行される。また、本実施形態においては、受信文書／レポート印刷色切替制御部８の機能を使用するかしないかをユーザが選択できるようにしている。この選択はユーザのオペレーションパネル９の操作により行うことができる。
【００１３】
以上説明した本実施形態によれば、カラー印刷が可能でかつ複数回線を持つファクシミリ装置において、受信文書の色とレポートの色とを別の色で印刷することができ、これによってユーザは受信印刷文書とレポート印刷文書の仕分けがしやすくなる。また、ユーザは受信文書の印色とレポートの色とを別の色で印刷する機能を好みに応じて容易にＯＮ／ＯＦＦすることができる。
【００１４】
尚、本実施形態による上述した動作に基づく処理を、主制御部７におけるＣＰＵが実行するためのプログラムは本発明によるプログラムを構成する。このプログラムを記録する記録媒体としては、半導体記憶装置や光学的及び／又は磁気的な記憶装置等を用いることができる。このプログラムを、本実施形態とは異なる構成のシステム等で用い、そこのＣＰＵで上記プログラムを実行させることにより、本発明と実質的に同じ効果を得ることができる。
【図面の簡単な説明】
【００１５】
【図１】本発明の実施形態によるファクシミリ装置の構成を示すブロック図である。
【符号の説明】
【００１６】
３    ジョブ制御部
４    オペレーション制御部
９    オペレーションパネル
５    記録制御部
６    通信制御部
７    主制御部
８    受信文書／レポート印刷色切替制御部
【図１】
2006246260.tif 000003